【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
画像を投射して表示する第１表示手段と、
画像を投射して表示する他の投射型表示装置から送信されてくる送信データを受信する第１受信手段と、
前記第１受信手段による前記送信データの受信状況に基づいて、前記他の投射型表示装置における異常を検知する第１検知手段と、
前記第１検知手段により前記異常が検知された場合に、当該異常が検知されたことを示す第１画像を前記第１表示手段に表示させる第１表示制御手段と
を備えることを特徴とする投射型表示装置。
【請求項２】
前記第１受信手段は、前記他の投射型表示装置に異常が発生したときに前記他の投射型表示装置が送信する当該異常が発生した旨を示す異常データを前記送信データとして受信し、
前記第１検知手段は、前記第１受信手段が前記異常データを受信した場合に、前記異常を検知する
ことを特徴とする請求項１に記載の投射型表示装置。
【請求項３】
前記第１受信手段は、前記他の投射型表示装置が第１のタイミングで送信する第１のデータを前記送信データとして受信し、
前記第１検知手段は、前記第１のタイミングに応じた第２のタイミングで前記第１受信手段が前記第１のデータを受信しなかった場合に、前記異常を検知する
ことを特徴とする請求項１または２に記載の投射型表示装置。
【請求項４】
前記他の投射型表示装置に第３のタイミングで第２のデータを送信する第１送信手段を備え、
前記第１受信手段は、前記他の投射型表示装置が、前記第１送信手段により送信された前記第２のデータを受信したことに応答して送信する第３のデータを前記送信データとして受信し、
前記第１検知手段は、前記第３のタイミングに応じた第４のタイミングで前記第１受信手段が前記第３のデータを受信しなかった場合に、前記異常を検知する
ことを特徴とする請求項１乃至３のいずれか1項に記載の投射型表示装置。
【請求項５】
前記第１受信手段は、前記他の投射型表示装置が、第１のタイミングで送信する第１のデータを前記送信データとして受信し、
前記第１検知手段は、前記第１のタイミングに応じた第２のタイミングで前記第１受信手段が前記第１のデータを受信しなかった第１の場合と、前記第１受信手段が前記異常データを受信した第２の場合とに、前記異常を検知し、
前記第１表示制御手段は、前記第１の場合と前記第２の場合とで異なる画像を、前記第１画像として前記第１表示手段に表示させる
ことを特徴とする請求項２に記載の投射型表示装置。
【請求項６】
前記他の投射型表示装置に第３のタイミングで第２のデータを送信する第１送信手段を備え、
前記第１受信手段は、前記他の投射型表示装置が、前記第１送信手段により送信された前記第２のデータを受信したことに応答して送信する第３のデータを前記送信データとして受信し、
前記第１検知手段は、前記第３のタイミングに応じた第４のタイミングで前記第１受信手段が前記第３のデータを受信しなかった第１の場合と、前記第１受信手段が前記異常データを受信した第２の場合とに、前記異常を検知し、
前記第１表示制御手段は、前記第１の場合と前記第２の場合とで異なる画像を、前記第１画像として前記第１表示手段に表示させる
ことを特徴とする請求項２に記載の投射型表示装置。
【請求項７】
前記第１検知手段は、前記第１表示手段及び前記他の投射型表示装置が前記画像を互いに重ね合わせて表示している場合に、前記異常を検知する
ことを特徴とする請求項１乃至６のいずれか１項に記載の投射型表示装置。
【請求項８】
自身に異常が発生した場合に、前記他の投射型表示装置に当該異常が発生した旨を示す異常データを送信する第１送信手段を備える
ことを特徴とする請求項１に記載の投射型表示装置。
【請求項９】
前記他の投射型表示装置に第１のタイミングで第１のデータを送信する第１送信手段を備える
ことを特徴とする請求項１に記載の投射型表示装置。
【請求項１０】
前記第１受信手段は、前記他の投射型表示装置から第３のタイミングで送信されてくる第２のデータを受信し、
前記第１受信手段により当該第２のデータが受信されたことに応答して前記他の投射型表示装置に第３のデータを送信する第１送信手段を備える
ことを特徴とする請求項１に記載の投射型表示装置。
【請求項１１】
請求項４または６に記載の投射型表示装置である第１投射型表示装置と、
画像を投射して表示する第２表示手段と、前記第１投射型表示装置から前記第３のタイミングで前記送信データとして送信されてくる前記第２のデータを受信する第２受信手段と、前記第２受信手段により当該第２のデータが受信されたことに応答して前記第１投射型表示装置に前記第３のデータを前記送信データとして送信する第２送信手段と、前記第２受信手段による前記送信データの受信状況に基づいて、前記第１投射型表示装置が画像を表示する動作における異常を検知する第２検知手段と、当該第２検知手段により当該異常が検知された場合に、当該異常が検知されたことを示す第２画像を前記第２表示手段に前記第１画像と重ならない位置に表示させる第２表示制御手段とを備える第２投射型表示装置と
を具備することを特徴とする表示システム。
【請求項１２】
前記第１検知手段は、前記第１表示手段及び前記第２表示手段が画像を互いに重ね合わせて表示している場合に、前記第２投射型表示装置が画像を表示する動作における異常を検知し、
前記第２検知手段は、当該場合に、前記第１投射型表示装置が画像を表示する動作における異常を検知する
ことを特徴とする請求項１１に記載の表示システム。
【請求項１３】
画像を投射して表示する表示手段と、画像を投射して表示する第２投射型表示装置から送信されてくる送信データを受信する受信手段とを備える第１投射型表示装置が、前記受信手段による前記送信データの受信状況に基づいて、前記第２投射型表示装置における異常を検知する検知ステップと、
前記第１投射型表示装置が、前記検知ステップにおいて異常が検知された場合に、当該異常が検知されたことを示す画像を前記表示手段に表示させる表示制御ステップと
を備えることを特徴とする表示方法。
【手続補正２】
【補正対象書類名】明細書
【補正対象項目名】０００５
【補正方法】変更
【補正の内容】
【０００５】
上記目的を達成するために、本発明に係る投射型表示装置は、画像を投射して表示する第１表示手段と、画像を投射して表示する他の投射型表示装置から送信されてくる送信データを受信する第１受信手段と、前記第１受信手段による前記送信データの受信状況に基づいて、前記他の投射型表示装置における異常を検知する第１検知手段と、前記第１検知手段により前記異常が検知された場合に、当該異常が検知されたことを示す第１画像を前記第１表示手段に表示させる第１表示制御手段とを備えることを特徴とする。
本発明によれば、複数の投射型表示装置を用いて画像を表示するシステムを利用しているユーザーに対して、いずれかの投射型表示装置で異常が発生して画像を表示することができなくなった場合であっても、異常が発生していない自装置が表示する画像により、異常が発生したことを確実に通知することができる。
【手続補正３】
【補正対象書類名】明細書
【補正対象項目名】０００６
【補正方法】変更
【補正の内容】
【０００６】
好ましい態様において、前記第１受信手段は、前記他の投射型表示装置に異常が発生したときに前記他の投射型表示装置が送信する当該異常が発生した旨を示す異常データを前記送信データとして受信し、前記第１検知手段は、前記第１受信手段が前記異常データを受信した場合に、前記異常を検知する。
この態様によれば、異常が発生したときに行われる通信に基づいて異常を検知するため、異常の発生とは関係ないタイミングで行われる通信に基づいて異常を検知する場合に比べて、異常が発生したことをより早く通知することができる。
【手続補正４】
【補正対象書類名】明細書
【補正対象項目名】０００７
【補正方法】変更
【補正の内容】
【０００７】
別の好ましい態様において、前記第１受信手段は、前記他の投射型表示装置が第１のタイミングで送信する第１のデータを前記送信データとして受信し、前記第１検知手段は、前記第１のタイミングに応じた第２のタイミングで前記第１受信手段が前記第１のデータを受信しなかった場合に、前記異常を検知する。
この態様によれば、他の投射型表示装置がデータを送信することができない場合であっても、異常が発生したことを通知することができる。
【手続補正５】
【補正対象書類名】明細書
【補正対象項目名】０００８
【補正方法】変更
【補正の内容】
【０００８】
別の好ましい態様において、前記他の投射型表示装置に第３のタイミングで第２のデータを送信する第１送信手段を備え、前記第１受信手段は、前記他の投射型表示装置が、前記第１送信手段により送信された前記第２のデータを受信したことに応答して送信する第３のデータを前記送信データとして受信し、前記第１検知手段は、前記第３のタイミングに応じた第４のタイミングで前記第１受信手段が前記第３のデータを受信しなかった場合に、前記異常を検知する。
この態様によれば、自装置が定めるタイミングで他の投射型表示装置にデータを送信することで、能動的に異常の検知を試みることができる。
【手続補正６】
【補正対象書類名】明細書
【補正対象項目名】０００９
【補正方法】変更
【補正の内容】
【０００９】
別の好ましい態様において、前記第１受信手段は、前記他の投射型表示装置が、第１のタイミングで送信する第１のデータを前記送信データとして受信し、前記第１検知手段は、前記第１のタイミングに応じた第２のタイミングで前記第１受信手段が前記第１のデータを受信しなかった第１の場合と、前記第１受信手段が前記異常データを受信した第２の場合とに、前記異常を検知し、前記第１表示制御手段は、前記第１の場合と前記第２の場合とで異なる画像を、前記第１画像として前記第１表示手段に表示させる。
この態様によれば、ユーザーは、表示される画像を見分けることで、第１の場合に発生しうる異常と第２の場合に発生しうる異常とのどちらが発生したのかを知ることができる。
【手続補正７】
【補正対象書類名】明細書
【補正対象項目名】００１０
【補正方法】変更
【補正の内容】
【００１０】
別の好ましい態様において、前記他の投射型表示装置に第３のタイミングで第２のデータを送信する第１送信手段を備え、前記第１受信手段は、前記他の投射型表示装置が、前記第１送信手段により送信された前記第２のデータを受信したことに応答して送信する第３のデータを前記送信データとして受信し、前記第１検知手段は、前記第３のタイミングに応じた第４のタイミングで前記第１受信手段が前記第３のデータを受信しなかった第１の場合と、前記第１受信手段が前記異常データを受信した第２の場合とに、前記異常を検知し、前記第１表示制御手段は、前記第１の場合と前記第２の場合とで異なる画像を、前記第１画像として前記第１表示手段に表示させる。
この態様によれば、ユーザーは、表示される画像を見分けることで、第１の場合に発生しうる異常と第２の場合に発生しうる異常とのどちらが発生したのかを知ることができる。
好ましい態様において、前記第１検知手段は、前記第１表示手段及び前記他の投射型表示装置が前記画像を互いに重ね合わせて表示している場合に、前記異常を検知する。
この態様によれば、異常が発生しても表示されている画像の明るさが変化するだけである場合に、異常が発生したことを確実に通知することができる。
別の好ましい態様において、自身に異常が発生した場合に、前記他の投射型表示装置に当該異常が発生した旨を示す異常データを送信する第１送信手段を備える。
別の好ましい態様において、前記他の投射型表示装置に第１のタイミングで第１のデータを送信する第１送信手段を備える。
別の好ましい態様において、前記第１受信手段は、前記他の投射型表示装置から第３のタイミングで送信されてくる第２のデータを受信し、前記第１受信手段により当該第２のデータが受信されたことに応答して前記他の投射型表示装置に第３のデータを送信する第１送信手段を備える。
【手続補正８】
【補正対象書類名】明細書
【補正対象項目名】００１１
【補正方法】変更
【補正の内容】
【００１１】
本発明の他の態様に係る表示システムは、上記の投射型表示装置である第１投射型表示装置と、画像を投射して表示する第２表示手段と、前記第１投射型表示装置から前記第３のタイミングで前記送信データとして送信されてくる前記第２のデータを受信する第２受信手段と、前記第２受信手段により当該第２のデータが受信されたことに応答して前記第
１投射型表示装置に前記第３のデータを前記送信データとして送信する第２送信手段と、前記第２受信手段による前記送信データの受信状況に基づいて、前記第１投射型表示装置が画像を表示する動作における異常を検知する第２検知手段と、当該第２検知手段により当該異常が検知された場合に、当該異常が検知されたことを示す第２画像を前記第２表示手段に前記第１画像と重ならない位置に表示させる第２表示制御手段とを備える第２投射型表示装置とを具備する。
この表示システムによれば、第１画像と第２画像とが重ならないでそれぞれ表示されることになり、それぞれの画像が表している内容を確実にユーザーに伝えることができる。
好ましい態様において、前記第１検知手段は、前記第１表示手段及び前記第２表示手段が画像を互いに重ね合わせて表示している場合に、前記第２投射型表示装置が画像を表示する動作における異常を検知し、前記第２検知手段は、当該場合に、前記第１投射型表示装置が画像を表示する動作における異常を検知する。
この態様によれば、異常が発生しても表示されている画像の明るさが変化するだけである場合に、異常が発生したことを確実に通知することができる。
【手続補正９】
【補正対象書類名】明細書
【補正対象項目名】００１４
【補正方法】変更
【補正の内容】
【００１４】
［実施形態］
以下、本発明の実施形態について図面を参照して説明する。
図１は、実施形態の表示システム１の外観を示す図である。表示システム１は、コマンダー（マスター）１０と、スレーブ２０と、通信線３０とを備える。コマンダー１０及びスレーブ２０は、画像を投射して表示する投写型表示装置（いわゆるプロジェクター）である。通信線３０は、両端にコネクター３１０及び３２０をそれぞれ有する。コネクター３１０はコマンダー１０に接続され、コネクター３２０はスレーブ２０に接続されている。このように、コマンダー１０及びスレーブ２０は、いずれも通信線３０が接続されており、通信線３０を介して互いに通信することができるようになっている。また、コマンダー１０及びスレーブ２０は、ケーブル４０及び５０をそれぞれ介してＰＣ（Personal computer：パーソナルコンピュータ。ノート型でもタブレット型でもよい。）２と接続されている。ケーブル４０は、一方の端部にコネクター４１０を有し、このコネクター４１０がコマンダー１０に接続されている。また、ケーブル５０は、一方の端部にコネクター５１０を有し、このコネクター５１０がスレーブ２０に接続されている。なお、コマンダー１０及びスレーブ２０とＰＣ２との接続は、ハブを介してもよいし、一方のプロジェクターを介して他方が接続されるいわゆるカスケード接続であってもよい。